(57)【特許請求の範囲】
【請求項１】
ウェブサイト横断情報を表示する方法であって、
実行可能命令で構成された１つまたは複数のプロセッサの制御下で、
第１のウェブサイトの第１のサーバによって、前記第１のウェブサイトのユーザの少なくとも１つの所望の製品の分類下の製品情報を取得することであって、前記製品情報を取得することは、
前記少なくとも１つの所望の製品の前記分類について、前記第１のウェブサイト上で前記分類内の各々の製品の製品キーワード群を取得することであって、前記製品キーワード群は、製品タイトルキーワードまたは製品属性キーワードのうちの少なくとも１つを含む、ことと、
製品間でのキーワードの出現頻度に基づいて、前記製品キーワード群のキーワードを重み付けることと、
前記製品キーワード群の前記キーワードを、上位重みから低位重みに重み付けされた順序でランク付けすることと、
前記製品キーワード群から、所定の数の上位重み付け製品キーワードを選択することと、
前記選択された複数の最上位重み付け製品キーワードを、前記少なくとも１つの所望の製品の前記分類に対応する分類キーワード群としてレンダリングすることと
を含むことと、
前記第１のサーバによって、第２のサーバの製品分類下の第２のウェブサイトの類似製品ユニットの製品情報を取得することであって、類似製品ユニットの各々は、表示可能製品群を含む、ことと、
前記第１のサーバによって、前記少なくとも１つの所望の製品の前記分類下の分類キーワード群と前記類似製品ユニットのそれぞれの製品情報との間の類似度を計算することと、
前記少なくとも１つの所望の製品の前記分類下の前記製品情報について、前記第１のサーバによって、前記類似度の降順で所定の数の類似製品ユニットを選択し、前記所定の数の類似製品ユニットに含まれる製品を、表示されることになる製品としてレンダリングすることと、
前記第１のサーバによって、前記表示されることになる製品を、前記ユーザによって閲覧される前記第１のウェブサイトのウェブページ上に表示することと、
を含む、方法。
【請求項２】
前記第１のサーバによって、前記表示されることになる製品を、前記ユーザによって閲覧される前記第１のウェブサイトの前記ウェブページ上に表示する前に、前記方法は、
前記第１のサーバによって、前記表示されることになる製品から、フィルタリング条件を満たす製品をフィルタリングすることであって、前記フィルタリング条件は、
利用可能な製品画像がないことを示す情報、
製品故障を示す情報、または
製品表示品質が基準未満であることを示す情報を含む、ことと、
前記第１のサーバによって、ランキング要因に基づき、前記フィルタリングされた製品を順序付けし、所定の数の上位重み付け製品を、表示されることになる最終製品としてレンダリングすることであって、前記ランキング要因は、（１）類似度、（２）前記製品の表示品質、（３）前記製品のクリック率、（４）前記製品の取引複雑性、（５）前記ユーザの登録時間、または（６）前記ユーザの信用性スコアのうちの１つまたは複数の情報を含む、ことと、
をさらに含む、請求項１に記載の方法。
【請求項３】
前記第１のウェブサイトの前記第１のサーバによって、前記ユーザの前記少なくとも１つの所望の製品の前記分類下の前記製品情報を取得することは、
前記第１のウェブサイトの前記ユーザの前記分類下の製品量および製品取引量をカウントすることと、
前記製品量および前記製品取引量に基づき、前記分類のスコアを計算することであって、前記スコアは、単調増加関数であり、前記ユーザの前記分類の前記製品量および前記製品取引量は、前記関数の独立変数であり、前記分類の前記スコアは、従属変数である、ことと、前記ユーザの前記所望の製品が属する分類となる所定の数の最高スコアの分類をレンダリングすることと、
をさらに含む、請求項１に記載の方法。
【請求項４】
前記類似製品ユニットは、前記第２のサーバによって作成され、
前記製品キーワード群は、第１の製品キーワード群であり、
前記方法は、
前記第２のサーバによって、分類情報に基づき、前記第２のウェブサイトの表示可能製品を分類することと、
それぞれの分類下のそれぞれの製品から、第２の製品キーワード群を抽出することであって、前記第２の製品キーワード群は、製品タイトルキーワードおよび製品属性キーワードを含む、ことと、
同一または類似の製品タイトルキーワードおよび同一または類似の製品属性キーワードを有する製品を、類似製品ユニットにグループ化することであって、類似キーワードは、２つの製品の主要属性値の間の差が所定の範囲内であるキーワードである、ことと、
前記第２の製品キーワード群のキーワードを重み付けすることと、
重み付けされた順序で、前記第２の製品キーワード群の前記キーワードを上位重みから低位重みにランク付けすることと、
前記類似製品ユニットに関連する前記第２の製品キーワード群の中から、所定の数の上位重み付けされた第２の製品キーワードを選択することと、
前記所定の数の上位重み付けされた第２の製品キーワードを、前記類似製品ユニットに対応するユニットキーワード群としてレンダリングすることと、
を含む、請求項３に記載の方法。
【請求項５】
前記第１のサーバによって、前記類似度を計算することは、一連の類似度方程式に基づき、前記分類キーワード群とユニットキーワード群との間の類似度を計算することを含む、請求項４に記載の方法。
【請求項６】
前記第１のサーバによって、前記表示されることになる製品を表示することは、
前記表示されることになる製品から、所定の期間内に前記ユーザによってクリックされた製品をフィルタリングすることと、
前記製品が属するそれぞれの類似製品ユニットの類似度に基づき、フィルタリングされた製品から、前記ユーザによって閲覧される前記第１のウェブサイトの前記ウェブページ上に表示するための製品を選択することであって、同一の類似製品ユニット内の製品は、ランダムに選択される、ことと、
を含む、請求項１に記載の方法。
【請求項７】
所定の回転速度に基づき、所定の数の選択された表示されることになる製品を変更することであって、前記回転速度は、前記ユーザによって閲覧される前記ウェブページ上で表示されることになる製品を変更する速度である、こと
をさらに含む、請求項６に記載の方法。
【請求項８】
ウェブサイト横断情報を表示する方法であって、
実行可能命令で構成された１つまたは複数のプロセッサの制御下で、
第１のウェブサイトの第１のサーバによって、前記第１のウェブサイトのユーザの少なくとも１つの所望の製品の分類下の製品情報を取得し、前記製品情報を取得することは、
前記少なくとも１つの所望の製品の前記分類について、前記第１のウェブサイト上で前記分類内の各々の製品の製品キーワード群を取得することであって、前記製品キーワード群は、製品タイトルキーワードまたは製品属性キーワードのうちの少なくとも１つを含む、ことと、
製品間でのキーワードの出現頻度に基づいて、前記製品キーワード群のキーワードを重み付けることと、
前記製品キーワード群の前記キーワードを、上位重みから低位重みに重み付けされた順序でランク付けすることと、
前記製品キーワード群から、所定の数の上位重み付け製品キーワードを選択することと、
前記選択された複数の最上位重み付け製品キーワードを、前記少なくとも１つの所望の製品の前記分類に対応する分類キーワード群としてレンダリングすることと
を含むことと、
前記少なくとも１つの所望の製品の前記分類下の前記製品情報を、第２のサーバに送信することと、
表示されることになる製品を、前記ユーザによって閲覧される前記第１のウェブサイトのウェブページ上に表示することを促進するために、前記第１のサーバによって、前記第２のサーバから送信される前記表示されることになる製品を受信することと、
を含む、方法。
【請求項９】
前記第２のサーバによって、前記少なくとも１つの所望の製品の前記分類下の前記製品情報と各製品分類下のすべての類似製品ユニットのそれぞれの製品情報との間の類似度を計算することであって、それぞれの類似製品ユニットは、表示可能製品群を含む、ことと、
前記少なくとも１つの所望の製品の前記分類下の前記製品情報について、前記第２のサーバによって、前記類似度の降順で所定の数の上位重み付け類似製品ユニットを選択し、前記所定の数の上位重み付け類似製品ユニットに含まれる製品を、前記表示されることになる製品としてレンダリングすることと、
をさらに含む、請求項８に記載の方法。
【請求項１０】
ウェブサイト横断情報表示のシステムであって、
プロセッサと、
メモリと、
前記メモリ内に記憶され、第１のウェブサイトの第１のサーバのユーザの少なくとも１つの所望の製品の分類下の製品情報、および第２のウェブサイトの第２のサーバの製品分類下の前記第２のウェブサイトの類似製品ユニットの情報を取得するように、前記プロセッサを介して実行可能である、獲得ユニットであって、それぞれの類似製品ユニットは、表示可能製品群を含み、前記獲得ユニットは、
前記少なくとも１つの所望の製品の前記分類について、各々のそれぞれの分類の製品情報から、各々の製品の製品キーワード群を取得するように構成された分類キーワード抽出サブユニットであって、前記製品キーワード群のそれぞれは、製品タイトルキーワードまたは製品属性キーワードのうちの少なくとも１つを含む、分類キーワード抽出サブユニットと、
製品間でのキーワードの出現頻度に基づいて、それぞれの製品キーワードに重み付け値を割り当てるように構成された重み付けサブユニットと、
前記製品キーワード群の前記キーワードを、上位重みから低位重みに重み付けされた順序でランク付けするように構成されたランク付けサブユニットと、
前記製品キーワード群のそれぞれから、所定の数の上位重み付け製品キーワードを選択するように構成されたキーワード選択サブユニットと、
前記所定の数の上記重みキーワードを使用して、前記少なくとも１つの所望の製品のそれぞれ分類に対応する分類キーワード群を形成するように構成された分類キーワード群生成サブユニットと、
を含む、獲得ユニットと、
前記メモリ内に記憶され、前記第２のサーバの各々の製品分類下の前記類似製品ユニットを作成するように、前記プロセッサを介して実行可能である、作成ユニットと、
前記メモリ内に記憶され、前記少なくとも１つの所望の製品の前記分類下の前記製品情報と前記類似製品ユニットのそれぞれの製品情報との間の類似度を計算するように、前記プロセッサを介して実行可能である、計算ユニットと、
前記メモリ内に記憶され、前記少なくとも１つの所望の製品の前記分類下の前記製品情報について、前記類似度の降順で所定の数の上位重み付け製品ユニットを選択し、前記所定の数の上位重み付け製品ユニットに含まれる製品を、表示されることになる製品としてレンダリングするように、前記プロセッサを介して実行可能である、選択ユニットと、
前記メモリ内に記憶され、前記表示されることになる製品を、前記ユーザによって閲覧される前記第１のウェブサイトのウェブページ上に表示するように、前記プロセッサを介して実行可能である、表示ユニットと、
を含む、システム。
【請求項１１】
前記第１のサーバに置かれ、前記選択ユニットに連結され、前記表示されることになる製品から、フィルタリング条件を満足する製品をフィルタリングするように構成される、一次フィルタリングユニットであって、前記フィルタリング条件は、利用可能な製品画像がないことを示す情報、製品故障を示す情報、および／または製品表示品質が基準未満であることを示す情報を含む、一次フィルタリングユニットと、
前記第１のサーバに置かれ、前記一次フィルタリングユニットおよび前記表示ユニットに連結され、ランキング要因に基づき、フィルタリングされた製品を順序付けするように構成され、所定の数の上位重み付け製品を、表示されることになる最終製品としてレンダリングする、順序付けユニットであって、前記ランキング要因は、（１）類似度、（２）前記製品の表示品質、（３）前記製品のクリック率、（４）前記製品の取引複雑性、（５）前記ユーザの登録時間、および／または（６）前記ユーザの信用性スコアのうちの１つ以上の情報を含む、順序付けユニットと、
をさらに含む、請求項１０に記載のシステム。
【請求項１２】
前記獲得ユニットは、
前記第１のウェブサイトの前記ユーザの各分類下の製品量および製品取引量をカウントするように構成される、分類統計サブユニットと、
前記製品量および前記製品取引量に基づき、各分類のスコアを計算し、前記スコアは、単調増加関数であり、前記ユーザの各分類の前記製品量および前記製品取引量は、前記関数の独立変数であり、各分類の前記スコアは、従属変数であり、前記ユーザの所望の製品の分類となる所定の数の最高スコアの分類をレンダリングするように構成される、計算サブユニットと、
を含む、請求項１０に記載のシステム。
【請求項１３】
前記作成ユニットは、
分類情報に基づき、前記第２のウェブサイトの前記表示可能製品を分類するように構成される、一次分類ユニットと、
各分類下の各製品から、製品タイトルキーワードおよび製品属性キーワードを抽出し、同一または類似の製品タイトルキーワードおよび同一または類似の主要属性キーワードを有する製品を、類似製品ユニットにグループ化するように構成される、二次分類ユニットであって、類似キーワードは、２つの製品の主要属性値の間の差が所定の範囲内であるキーワードを含む、二次分類ユニットと、
各類似製品ユニットについて、それぞれの類似製品ユニットの製品情報から、少なくとも１つのユニットキーワードを抽出するように構成される、ユニットキーワード抽出ユニットと、
それぞれのユニットキーワード群を形成するために、各類似製品ユニットの前記少なくとも１つのユニットキーワードを使用するように構成される、ユニットキーワード群生成ユニットであって、前記ユニットキーワード群は、それぞれの類似製品ユニットの前記製品情報を表現する、ユニットキーワード群生成ユニットと、
を備える、請求項１２に記載のシステム。
【請求項１４】
前記計算ユニットは、一連の類似度方程式に基づき、分類キーワード群とユニットキーワード群との間の類似度を計算するように構成される、請求項１３に記載のシステム。
【請求項１５】
前記表示ユニットは、
前記表示されることになる製品から、所定の期間内に前記ユーザによってクリックされた製品をフィルタリングするように構成される、二次フィルタリングユニットと、
前記製品が属する前記類似製品ユニットのそれぞれの類似度に基づき、フィルタリングされた表示されることになる製品から、前記ユーザによって閲覧される前記第１のウェブサイトの前記ウェブページ上に表示するための製品を選択するように構成される、表示制御ユニットであって、同一の類似製品ユニット内の製品は、ランダムに選択される、表示制御ユニットと、
を備える、請求項１０に記載のシステム。
【請求項１６】
前記表示ユニットは、
所定の回転速度に基づき、表示するための所定の数の選択される製品を変更するように構成される、表示更新ユニットであって、前記回転速度は、前記ユーザによってブラウズされる前記ウェブページ上で表示されることになる製品を変更する速度に対応する、表示更新ユニット
をさらに備える、請求項１５に記載のシステム。
【請求項１７】
ウェブサイト横断情報表示のシステムであって、
プロセッサと、
メモリと、
前記メモリ内に記憶され、第１のウェブサイトと関連付けられる第１のサーバのユーザの少なくとも１つの所望の製品の分類下の製品情報を取得するように、前記プロセッサを介して実行可能である、獲得ユニットであって、
前記少なくとも１つの所望の製品の前記分類について、第１のウェブサイト上の分類内の製品キーワード群を取得するように構成された分類キーワード抽出サブユニットであって、前記製品キーワード群は、製品タイトルキーワードまたは製品属性キーワードのうちの少なくとも１つを含む、分類キーワード抽出サブユニットと、
製品間でのキーワードの出現頻度に基づいて、それぞれの製品キーワードに重み付け値を割り当てるように構成された重み付けサブユニットと、
前記製品キーワード群の前記キーワードを、上位重みから低位重みに重み付けされた順序でランク付けするように構成されたランク付けサブユニットと、
前記製品キーワード群から、所定の数の上位重み付け製品キーワードを選択するように構成されたキーワード選択サブユニットと、
前記所定の数の上記重みキーワードを使用して、前記少なくとも１つの所望の製品の前記分類に対応する分類キーワード群を形成するように構成された分類キーワード群生成サブユニットと、
を含む、獲得ユニットと、
前記メモリ内に記憶され、前記少なくとも１つの所望の製品の前記分類下の前記製品情報を、第２のサーバに送信するように、前記プロセッサを介して実行可能である、第１の送信ユニットであって、前記第２のサーバは、前記第１のウェブサイトとは異なる第２のウェブサイトと関連付けられる、送信ユニットと、
前記メモリ内に記憶され、前記第２のサーバから、表示されることになる製品の情報を受信し、前記表示されることになる製品を、前記ユーザによって閲覧される前記第１のウェブサイトのウェブページ上に表示するように、前記プロセッサを介して実行可能である、表示ユニットと、
を備える、システム。
【請求項１８】
前記送信ユニットは、第１の送信ユニットであり、
前記第２のサーバは、
前記少なくとも１つの所望の製品の前記分類下の前記製品情報と前記第２のサーバの各製品分類下のすべての類似製品ユニットのそれぞれの製品情報との間の類似度を計算するように構成される、計算ユニットであって、類似製品ユニットは、表示可能製品群を含む、計算ユニットと、
前記少なくとも１つの所望の製品の前記分類下の前記製品情報について、前記類似度の降順で所定の数の上位重み付け類似製品ユニットを選択し、前記所定の数の上位重み付け類似製品ユニットに含まれる製品を、前記表示されることになる製品としてレンダリングするように構成される、選択ユニットと、
前記表示ユニットが、前記表示されることになる製品を、前記ユーザによって閲覧される前記第１のウェブサイトの前記ウェブページ上に表示することを促進するために、前記表示されることになる製品を、前記表示ユニットに送信するように構成される、第２の送信ユニットと、
を備える、請求項１７に記載のシステム。
【請求項１９】
前記表示されることになる製品から、フィルタリング条件を満たす製品をフィルタリングする、前記メモリ内に記憶され、前記プロセッサを介して実行可能である、一次フィルタリングユニットであって、
前記フィルタリング条件は、
利用可能な製品画像がないことを示す情報、
製品故障を示す情報、または
製品表示品質が基準未満であることを示す情報
のうちの少なくとも１つを含む、一次フィルタリングユニット
をさらに含む、請求項１７に記載のシステム。
【請求項２０】
ランキング要因に基づき、前記フィルタリングされた製品を順序付けし、所定の数の上位重み付け製品を、表示されることになる最終製品としてレンダリングする、前記メモリ内に記憶され、前記プロセッサを介して実行可能である、順序付けユニットであって、前記ランキング要因は、類似度の情報、前記製品の表示品質の情報、前記製品のクリック率の情報、前記製品の取引複雑性の情報、前記ユーザの登録時間の情報、および／または前記ユーザの信用性スコアの情報を含む、順序付けユニットをさらに備える、請求項１９に記載のシステム。
【発明の詳細な説明】
【技術分野】
【０００１】
本開示は、インターネットデータ処理に関し、より具体的には、ウェブサイト横断情報を表示する方法およびシステムに関する。
【０００２】
関連出願の相互参照
本願は、参照することによってその全体が本明細書に組み込まれる、２０１０年１２月１４日に出願された、名称が「ウェブサイト横断情報を表示する方法およびシステム（ＭＥＴＨＯＤ  ＡＮＤ  ＳＹＳＴＥＭ  ＯＦ  ＤＩＳＰＬＡＹＩＮＧ  ＩＮＦＯＲＭＡＴＩＯＮ  ＡＣＲＯＳＳ  ＷＥＢＳＩＴＥＳ）」の中国特許出願第２０１０１０５８８２１０．９号の優先権を主張する。
【背景技術】
【０００３】
インターネット技術の発達により、インターネットは、ネットワークユーザにとって、情報および資源を取得する重要な手段となった。通常の状況下では、ネットワークユーザは、通常、１つ以上のお気に入りのウェブサイト（例えば、ウェブサイトＡ）を見て回り、他のウェブサイト（例えば、ウェブサイトＢ）を訪れることはまれである。結果として、ウェブサイトＡは、ネットワークユーザと関連付けられる活動データの記録（例えば、ウェブサイトＡの検索、ブラウジング、収集、および購入情報）を含み、一方、ウェブサイトＢは、このネットワークユーザと関連付けられる活動データのいかなる記録も含まない。
【０００４】
一例は、電子商取引ウェブサイトである。電子商取引ウェブサイトは、主に供される顧客グループに基づき、３つの分類、取引の当事者が両方とも企業である、Ｂ２Ｂ（企業対企業）型電子商取引ウェブサイト、それを通して企業が個々の顧客にオンライン購入サービスを提供する、Ｂ２Ｃ（企業対顧客）型電子商取引ウェブサイト、および購入ユーザが通常個々の顧客であり、販売ユーザが主に個人であり、一部が小規模の企業である、Ｃ２Ｃ（顧客対顧客）型電子商取引ウェブサイトに分けられてもよい。通常の状況下では、これらの３つの種類の電子商取引ウェブサイトは、異なるネットワークオペレータによって運営され、したがって、相互から独立している。これらのウェブサイトのデータもまた、相互から独立している。
【０００５】
ウェブサイトＡのユーザが製品をブラウズする際、ユーザが所望する製品の検索パスを短くし、ウェブサイトＡ上でのユーザのオンラインショッピングの効率を改善するために、そのウェブページ上で、ユーザが関心があり得る製品および現在ブラウズされている製品に関連する製品が、ユーザに推奨され、表示される。既存のインターネット電子商取引ウェブサイトの大部分は、ユーザが、ログインするとそのウェブページ上で人気の製品を見ることができるように、およびユーザが購入した製品に関連する他の製品の情報を取得することができるように、知的推奨システムを採用している。
【０００６】
知的推奨システムの主要動作を実現する２つの方法が存在する。１つは、ウェブサイトのユーザに、ユーザの具体的な活動記録に基づき、製品を提示することである。具体的に、この方法は、ウェブサイトが、特定のユーザが行った製品の検索、ブラウジング、収集、または購入等の活動履歴を記録することと、所定のアルゴリズムを使用して、これらの活動履歴に基づき、ユーザのニーズおよび製品嗜好を判定すること、すなわち、ユーザの過去の活動によって反映される、ユーザの特定の製品に対する注目に従って、ユーザに関連製品情報を提示することとを含む。あるいは、複数のユーザと関連付けられるグループ活動の特徴に基づき、現在多大な注目を集めている製品に対応する関連製品が、ユーザに提示される。あるいは、これらのグループのユーザに対する製品の標的提示を実施するために、多くの類似するユーザグループから注目を集めている製品が、関連ユーザに提示される。
【０００７】
既存の知的推奨システムによって使用される別の実現方法は、ユーザが登録した関心がある企業、またはユーザによって比較的頻繁にクリックされている企業に基づき、ユーザが現在閲覧しているウェブページ上に、高クリック率、高取引量、または高品質を有する製品を表示することを含む。これは、新規ユーザまたは限られた活動データを有するユーザが、さらなる製品情報の取得に失敗することをある程度解決する。
【０００８】
それでもなお、既存の推奨システムによってどちらの実現方法が採用されるかに関わらず、表示は、基本的にウェブサイト内から実施される。具体的に、ウェブサイトのサーバは、そのウェブサイト内に含まれる製品を、そのウェブサイトの登録ユーザに表示する。しかしながら、そのウェブサイトの登録ユーザは、そのウェブサイトの製品だけでなく、他のウェブサイトの製品も所望する。例として、Ｃ２Ｃウェブサイトのユーザを考える。Ｃ２Ｃウェブサイトのユーザが、Ｂ２Ｂウェブサイトから所望の製品の情報を取得する必要がある場合、Ｃ２Ｃウェブサイトのユーザは、所望の製品の情報を取得するために、Ｂ２Ｂウェブサイトにさらにログインまたは登録する必要がある。ウェブサイトのユーザ登録は、時間を取るだけでなく、サーバ間の対話の数も増加させ、ウェブサイトへの頻繁なログインにより、他のユーザに製品を表示する効率に影響を及ぼす。これらの問題は、必然的に、ユーザ要求に対するサーバの頻繁な、または冗長的な応答をもたらし、結果として、サーバの処理速度および処理性能のさらなる低下をもたらす。
【０００９】
手短に言えば、当業者が至急解決する必要がある技術的問題は、製品が既存の技術で表示される際の製品を表示する効率に関する、サーバの処理速度および処理性能の低下の問題を解決するために、ウェブサイト横断情報を表示する革新的方法をどのように提供するかということである。
【発明の概要】
【００１０】
したがって、本開示は、製品が既存の技術で表示される際の製品を表示する効率に関する、サーバの処理速度および処理性能の低下の問題を解決することができる、ウェブサイトにわたる情報を表示する方法ならびにシステムを提供する。
【００１１】
前述の目標を達成するために、本開示は、以下の技術スキームを提供する。
【００１２】
一実施形態では、ウェブサイト横断情報を表示する方法は、第１のウェブサイトの第１のサーバが、第１のユーザの少なくとも１つの所望の製品の分類下の製品情報を取得することを含む。第１のサーバは、第２のサーバの製品分類下の類似製品ユニットの情報をさらに取得してもよい。一実施形態では、類似製品ユニットは、表示可能製品群を含む。第１のサーバは、少なくとも１つの所望の製品の分類下の製品情報と類似製品ユニットのそれぞれの製品情報との間の類似度を計算してもよい。少なくとも１つの所望の製品の分類下の製品情報について、第１のサーバは、類似度の降順で所定の数の上位類似製品ユニットを選択し、所定の数の上位類似製品ユニット内に含まれる製品を、表示製品としてレンダリングしてもよい。さらに、第１のサーバは、表示製品を、第１のユーザによって閲覧される第１のウェブサイトのウェブページ上に表示してもよい。
【００１３】
別の実施形態では、ウェブサイト横断情報を表示する方法は、第１のウェブサイトの第１のサーバが、第１のユーザの少なくとも１つの所望の製品の分類下の製品情報を取得することと、少なくとも１つの所望の製品の分類下の製品情報を第２のサーバに送信することとを含んでもよい。さらに、第１のサーバは、第１のユーザによって閲覧される第１のウェブサイトのウェブページ上に表示製品を表示することを促進するために、第２のサーバから表示製品を受信してもよい。一実施形態では、第２のサーバは、少なくとも１つの所望の製品の分類下の製品情報と各製品分類下のすべての類似製品ユニットのそれぞれの製品情報との間の類似度を計算することによって、表示製品を取得してもよい。類似製品ユニットは、表示可能製品群を含んでもよい。さらに、少なくとも１つの所望の製品の分類下の製品情報について、第２のサーバは、類似度の降順で所定の数の上位類似製品ユニットを選択し、所定の数の上位類似製品ユニット内に含まれる製品を、表示製品としてレンダリングしてもよい。
【００１４】
いくつかの実施形態では、ウェブサイト横断情報を表示するシステムは、獲得ユニットと、計算ユニットと、選択ユニットと、表示ユニットとを第１のサーバ内に、作成ユニットを第２のサーバ内に含んでもよい。
【００１５】
獲得ユニットは、第１のサーバの第１のユーザの少なくとも１つの所望の製品の分類下の製品情報、および第２のサーバの製品分類下の類似製品ユニットの情報を取得するように構成され、類似製品ユニットは、表示可能製品群を含む。
【００１６】
作成ユニットは、第２のサーバの各製品分類下のすべての類似製品ユニットを作成するように構成される。
【００１７】
計算ユニットは、少なくとも１つの所望の製品の分類下の製品情報と類似製品ユニットのそれぞれの製品情報との間の類似度を計算するように構成される。
【００１８】
選択ユニットは、少なくとも１つの所望の製品の分類下の製品情報について、類似度の降順で所定の数の上位類似製品ユニットを選択し、所定の数の上位類似製品ユニット内に含まれる製品を、表示製品としてレンダリングするように構成される。
【００１９】
表示ユニットは、表示製品を、第１のユーザによって閲覧される第１のウェブサイトのウェブページ上に表示するように構成される。
【００２０】
他の実施形態では、ウェブサイト横断情報を表示するシステムは、獲得ユニットと、第１の送信ユニットと、表示ユニットとを第１のサーバ内に、計算ユニットと、選択ユニットと、第２の送信ユニットとを第２のサーバ内に含んでもよい。
【００２１】
獲得ユニットは、第１のユーザの少なくとも１つの所望の製品の分類下の製品情報を取得するように構成される。
【００２２】
第１の送信ユニットは、少なくとも１つの所望の製品の分類下の製品情報を計算ユニットに送信するように構成される。
【００２３】
計算ユニットは、少なくとも１つの所望の製品の分類下の製品情報と第２のサーバの各製品分類下のすべての類似製品ユニットのそれぞれの製品情報との間の類似度を計算するように構成され、類似製品ユニットは、表示可能製品群を含む。
【００２４】
選択ユニットは、少なくとも１つの所望の製品の分類下の製品情報について、類似度の降順で所定の数の上位類似製品ユニットを選択し、所定の数の上位類似製品ユニット内に含まれる製品を、表示製品としてレンダリングするように構成される。
【００２５】
第２の送信ユニットは、表示ユニットが、表示製品を、第１のユーザによって閲覧される第１のウェブサイトのウェブページ上に表示することを促進するために、表示製品を表示ユニットに送信するように構成される。
【００２６】
上記の技術スキームおよび既存の技術との比較から、本開示は、第１のウェブサイトの第１のユーザが所望する製品の分類の製品情報を、第２のウェブサイトの類似製品ユニットの製品情報と合致させ、その間の類似度に基づき、表示製品を取得し、表示製品を、第１のウェブサイトの販売者の顧客に表示することによって、ウェブサイト横断情報を表示する方法を提供する。したがって、第１のウェブサイトの販売者の顧客は、第２のウェブサイトの製品情報をオンタイムに取得することができ、したがって、ウェブサイトにわたる製品情報を表示することを実現する。ウェブサイトにわたる製品情報を表示することは、第１のウェブサイトの第１のユーザを、第２のウェブサイトに登録またはログインする必要性から解放し、第１のサーバおよび第２のサーバが、他のユーザの登録またはログイン要求をより効率的に処理することを可能にし、したがって、サーバの効率を改善する。さらに、ユーザは、第１のウェブサイト上で第２のウェブサイトの製品情報を取得することができ、したがって、所望の製品をより迅速に取得することができる。具体的に、第１のウェブサイトのサーバがユーザの所望の製品情報要求を処理する効率が改善される。
【００２７】
本開示によって提供される、ウェブサイト横断情報を表示する別の方法は、ウェブサイトにわたる製品情報を表示することを実現し、サーバの処理性能を改善するだけでなく、第１のサーバと第２のサーバとの間のデータ伝送量を削減し、ネットワークデータ伝送速度を改善し、それによって、第１のサーバがユーザ要求を処理する効率を改善すると同時に、サーバの伝送資源を節約する。明らかに、本開示を実現する任意の製品は、すべての上記の利点を一度に達成する必要はない。
【図面の簡単な説明】
【００２８】
本開示または既存の技術の例示的な実施形態の技術スキームをより明確に理解するために、例示的な実施形態または既存の技術の説明に必要とされる添付の図面を、以下に簡単に紹介する。理解できるように、以下の図面は、本開示のいくつかの例示的な実施形態のみを構成する。これらの添付の図面に基づき、当業者は、いかなる創造的努力も行うことなく、他の図面を取得することができる。
【図１】図１はウェブサイト横断情報を表示する第１の例示的な方法を図示する、フローチャートを示す。
【図２】図２は第１の例示的な方法のブロック１０１に定義される動作の一実現形態を図示する、フローチャートを示す。
【図３】図３は第１の例示的な方法のブロック１０２に定義される動作の一実現形態を図示する、フローチャートを示す。
【図４】図４は第１の例示的な方法のブロック１０５に定義される動作の一実現形態を図示する、フローチャートを示す。
【図５】図５はウェブサイト横断情報を表示する第２の例示的な方法を図示する、フローチャートを示す。
【図６】図６はウェブサイト横断情報を表示する第３の例示的な方法を図示する、フローチャートを示す。
【図７】図７はウェブサイト横断情報を表示する第１の例示的なシステムを図示する、構造図を示す。
【図８】図８は第１の例示的なシステムの一部を形成する獲得ユニットを図示する、構造図を示す。
【図９】図９は第１の例示的なシステムの一部を形成する作成ユニットを図示する、構造図を示す。
【図１０】図１０は第１の例示的なシステムの一部を形成する表示ユニットを図示する、構造図を示す。
【図１１】図１１はウェブサイト横断情報を表示する第２の例示的なシステムを図示する、構造図を示す。
【図１２】図１２はウェブサイト横断情報を表示する第３の例示的なシステムを図示する、構造図を示す。
【図１３】図１３は図７、図１１、および図１２に記載される例示的なサーバをより詳細に示す。
【発明を実施するための形態】
【００２９】
本開示の例示的な実施形態における技術スキームが、例示的な実施形態における添付の図面を使用して、以下に明確かつ完全に記載される。理解できるように、本明細書に記載される例示的な実施形態は、本開示の例示的な実施形態のすべてではなく、一部のみを構成する。本開示の例示的な実施形態に基づき、当業者は、依然として本開示の範囲内である、すべての他の例示的な実施形態を取得することができる。
【００３０】
開示される方法およびシステムは、汎用もしくは専用演算装置（単数または複数）の環境または構成で使用されてもよい。例には、パーソナルコンピュータ、サーバコンピュータ、携帯用デバイスまたは可搬式デバイス、タブレット型デバイス、マルチプロセッサシステム、および任意の上記の装置またはデバイスを含む分散演算環境が挙げられる。
【００３１】
開示される方法およびシステムは、コンピュータ実行可能命令、例えば、プログラムモジュールの一般的状況において記載することができる。一般的に、プログラムモジュールは、特定の機能を実施する、または特定の抽象データ型を実装する、ルーチン、プログラム、オブジェクト、コンポーネント、データ構造等を含むことができる。また、開示される方法およびシステムは、機能が通信ネットワークを通してリンクされる遠隔処理デバイスによって実施される、分散演算環境において実践することもできる。分散演算環境では、プログラムモジュールは、メモリ記憶デバイスを含むローカルおよび／または遠隔コンピュータ記憶媒体に置かれてもよい。
【００３２】
本開示の主概念のうちの１つは、以下を含んでもよい。最初に、第１のウェブサイトの第１のサーバは、登録ユーザの所望の製品の分類下の製品情報を取得する。製品情報は、一片であっても複数片であってもよい。次いで、第２のウェブサイトの第２のサーバは、取引に関与した製品の情報に基づき、第２のウェブサイト上で類似製品ユニットを作成する。類似製品ユニットは、表示可能製品群を含む。その後、第１のウェブサイトの製品と第２のウェブサイトの類似製品ユニットの製品情報との間の類似度に基づき、第１のサーバは、類似製品ユニット内のより高い類似度を有する製品を取得し、これらの製品を第１のウェブサイトのウェブページ上に表示し、したがって、第２のウェブサイトの製品を第１のウェブサイト上に表示する機能性を実現する。これは、第１のウェブサイト上で製品をブラウズするユーザが、第２のウェブサイトまたは第２のサーバにログインすることなく、第２のウェブサイトの製品情報を取得することを容易にする。それによって、ユーザとサーバとの間の対話の数が削減され、したがって、サーバの性能をさらに改善する。
【００３３】
図１は、ウェブサイト横断情報を表示する第１の例示的な方法を図示する、フローチャートを示す。この例示的な方法で提供される技術スキームは、以下のブロックを含む。
【００３４】
ブロック１０１で、第１のウェブサイトの第１のサーバは、第１のユーザの少なくとも１つの所望の製品の分類下の製品情報を取得する。
【００３５】
第１のウェブサイトは、任意のＣ２Ｃウェブサイト、Ｂ２Ｂウェブサイト、または他のウェブサイトであってもよい。第１のサーバは、第１のウェブサイトに対応するサーバである。実際の実現形態では、本開示は、オンライン売買プラットフォームのショッピングウェブサイトだけでなく、一般的な動画ウェブサイト、フォーラムウェブサイト等にも適用することができることに留意されたい。その場合、ユーザが所望する製品は、動画コンテンツの特定のセグメント（単数または複数）、または特定の投稿等であってもよい。ユーザが所望する製品は、本開示を実現するウェブサイトが変わるのに応じて変わる。
【００３６】
本実施形態では、第１のウェブサイトの例として、Ｃ２Ｃウェブサイトが使用される。第１のウェブサイトの第１のユーザは、Ｃ２Ｃウェブサイトに登録しており、第１のウェブサイト内で製品取引を行うことができるユーザである。Ｃ２Ｃウェブサイトが顧客対顧客電子商取引ウェブサイトであるため、この登録ユーザが比較的大きい数の製品を所望する場合、このＣ２Ｃウェブサイトから取得される製品情報は、ユーザの製品情報要求を満足することができない。実際の適用では、第１のユーザは、第２のウェブサイト（Ｃ２ＣウェブサイトまたはＢ２Ｂウェブサイト等の第１のウェブサイトとは異なる任意のウェブサイトである）から製品情報を取得する必要がある。このブロックでは、第１のサーバが、第１のユーザの所望の製品の分類下の製品情報を取得するということが実現される。所望の製品は、単一の分類または複数の分類に属していてもよい。第１のウェブサイトへの登録の後、第１のユーザは、他のユーザが購入または保管するための特定の数の製品を公開する。販売ユーザとして活動する際、第１のユーザの製品情報は、第１のユーザによって公開される製品情報に対応する。
【００３７】
第１のウェブサイトの第１のユーザの製品情報が、第１のサーバのデータベースに記憶される際、第１のサーバは、第１のウェブサイトの第１のユーザが所望する分類の製品情報を取得するという行為を実施する。
【００３８】
図２を参照すると、ブロック１０１の具体的な実施形態は、以下のブロックを含んでもよい。
【００３９】
ブロック２０１は、第１のウェブサイトの第１のユーザの各分類下の製品量および製品取引量をカウントする。
【００４０】
最初に、第１のサーバは、第１のウェブサイトの第１のユーザの各分類下の総製品量および総製品取引量をカウントする。各分類は、ユーザによって公開された製品情報が属する分類とは異なる分類と見なされてもよい。製品量は、現在取引することができる、第１のユーザと関連付けられる製品の総数を表す。製品取引量は、第１のユーザの完了取引に関与した製品の数を表す。
【００４１】
各ユーザは、例えば、ユーザ名またはユーザ名に暗号化アルゴリズムを適用すると取得される文字列であってもよい、一意の本人証明を有することに留意されたい。これは、第１のサーバが、製品量および製品取引量をカウントする際、ユーザを単位として扱うことができるようにすることを保証することができる。
【００４２】
ブロック２０２は、製品量および製品取引量に基づき、各分類のスコアを計算する。スコアは、単調増加関数であってもよい。第１のユーザと関連付けられる各分類の製品量および製品取引量は、この関数の独立変数であり、一方、各分類のスコアは、従属変数である。所定の数の最高スコアの分類が、第１のユーザの所望の製品が属する分類としてレンダリングされる。
【００４３】
第１のサーバは、単調増加関数を設定し、関数の独立変数として、第１のユーザと関連付けられる各分類下の製品量および製品取引量を使用し、各分類のスコアは、従属変数である。次いで、第１のサーバは、各分類のスコアを計算するために、この単調増加関数を採用する。製品量および製品取引量が分類のスコアを計算するために使用される限り、この単調増加関数の具体的な形態に制限はないことに留意されたい。しかしながら、この単調増加関数は、以下の基準、製品の取引量が多いほど、製品と関連付けられる分類のスコアは高くなり、特定の分類が含む製品の数が多いほど、その分類のスコアは高くなる、を満足する必要がある。
【００４４】
第１のユーザと関連付けられる分類は、それぞれのスコアに従って順序付けされてもよい。所定の数の上位スコアの分類が、第１のユーザの所望の製品が属する分類としてレンダリングされてもよい。例えば、最初の３つの上位スコアの分類が、第１のユーザの所望の製品の分類情報としてレンダリングされる。
【００４５】
ブロック２０３は、所望の製品の各分類について、それぞれの分類の製品情報内の各製品の第１の製品キーワード群を取得する。第１の製品キーワードは、製品タイトルキーワードおよび／または製品属性キーワードであってもよい。
【００４６】
所望の製品の分類を取得すると、所望の製品の各分類下の製品情報がさらに分析される。キーワードのグループは、各分類下の製品の主要情報、すなわち、第１の製品キーワード群を描写するために使用される。具体的に、第１のユーザの所望の製品の分類を判定するのに応えて、各製品の情報と関連付けられるタイトルキーワードおよび属性キーワードが最初に抽出される。キーワードを抽出する方法は、キーワード抽出に使用される任意の既存の方法を採用してもよい。したがって、例示的な本実施形態は、キーワードを抽出する方法に対するいかなる制限も有さない。
【００４７】
ブロック２０４は、第１の製品キーワードのそれぞれの重みに基づき、第１の製品キーワード群から、所定の数の上位の第１の製品キーワードを選択する。
【００４８】
タイトルキーワードおよび属性キーワードを取得するのに応えて、各タイトルキーワードまたは属性キーワードは、関連付けられる製品の取引量の単調増加関数として設定される。単調増加関数から取得される値は、タイトルキーワードまたは属性キーワードの重みと称される。タイトルキーワードまたは属性キーワードが多数の製品内に出現する際、それぞれの重みは、それに応じて増加する。最後には、各タイトルキーワードまたは属性キーワードの合計重みが取得される。これらのタイトルキーワードまたは属性キーワードは、それぞれの重みの降順に配列され、特定の数の最高重みキーワードが、第１の製品キーワードに選択される（例えば、最初の１０個のキーワードを選択する）。この単調増加関数は、タイトルキーワードまたは属性キーワードが製品の間により頻繁に出現すると、そのそれぞれの重みがより大きくなるという要件を満たす必要がある。このブロックで、製品キーワードの重みは、代替えとして、関連付けられる製品の取引量の単調増加関数としてレンダリングされてもよい。したがって、第１のユーザが所望する分類下のすべての製品の製品キーワードのそれぞれの重みは、各製品の取引量から計算されてもよい。
【００４９】
ブロック２０５は、所望の製品が属するそれぞれの分類に対応するそれぞれの分類キーワード群を形成するように、それぞれの所定の数の第１の製品キーワードを共にグループ化する。
【００５０】
ブロック２０４での計算結果に基づき、第１のユーザの所望の製品が属する各分類は、１０個の分類キーワードを含む。このブロックで、これらの１０個の分類キーワードは、分類キーワード群を形成するために必要とされる。この分類キーワード群は、分類の製品情報を表現してもよい。第１のユーザの所望の製品の分類の製品情報は、分類キーワード群を形成する。分類キーワード群内の分類キーワードの具体的な順序関係は必要とされなくてもよい。このブロックは、実際には、分類のすべての分類キーワードを分類に対応付ける、すなわち、特定の分類とそのすべての分類キーワードとの間の対応関係を確立することを理解することができる。
【００５１】
実際の適用では、この分類キーワード群は、第１のユーザの関連付けられる分類下の取引することができる製品の特徴を描写してもよいことに留意されたい。さらに、第１のユーザの特定の売買可能製品および製品取引量に基づき、この分類キーワード群が計算され、取得される際、分類キーワード群は、第１のユーザの個別の在庫需要を描写する。
【００５２】
再び図１を参照すると、ブロック１０２で、第１のサーバは、第２のサーバから、第２のサーバのすべての類似製品ユニットの情報を取得する。類似製品ユニットは、第２のサーバによって作成される、表示可能製品群を指す。
【００５３】
第２のウェブサイトは、任意のＣ２Ｃウェブサイト、Ｂ２Ｂウェブサイト、または他のウェブサイトであってもよい。第２のサーバは、第２のウェブサイトに対応するサーバである。第１のウェブサイトと同様に、第２のウェブサイトは、一般的な動画ウェブサイト、フォーラムウェブサイト等の任意のウェブサイトであってもく、ユーザが所望する製品は、動画コンテンツのセグメント（単数または複数）、または特定の投稿等であってもよい。ユーザが所望する製品は、本開示を実現するウェブサイトが変わるのに応じて変わる。本実施形態では、第２のウェブサイトの例として、Ｂ２Ｂウェブサイトが使用される。第１のサーバおよび第２のサーバは、同一の機能性を有する２つのサーバである。第２のウェブサイトと関連付けられる製品情報は、第２のサーバのデータベースに記憶される。したがって、類似製品ユニットの作成は、第２のサーバによって実施される。
【００５４】
第２のウェブサイトから関連製品情報を取得し、関連製品情報を、第１のウェブサイトの第１のユーザによってブラウズされる第１のウェブサイトのウェブページ上に表示するために、第１のサーバは、第２のウェブサイトのすべての表示可能製品の中から、第１のウェブサイトの第１のユーザのニーズを満足する製品情報を見つける必要がある。第２のウェブサイトの製品情報が第２のサーバのデータベースに記憶されているため、第２のサーバは、最初に、第２のウェブサイトのすべての表示可能製品を分類し、すべての製品を異なる群に分割する必要がある。各グループ内の製品は、同一または類似の特徴を保有する。そのような分類プロセスは、第２のサーバによる類似製品ユニットの作成と称される。
【００５５】
類似製品ユニット（ＳＰＵ）は、複数の類似製品の群である。類似製品ユニット内の製品は、同一または類似の特徴、例えば、同一または類似のスタイル、製品の材料等を保有する。類似するということは、例えば、寸法または材料の観点から、製品間の差が所定の範囲内であることを示す。差の所定の範囲の具体的な値は、当業者が具体的に判定することができる。
【００５６】
図３に示されるように、ブロック１０２の実行プロセスの詳細は、以下のブロックを含む。
【００５７】
ブロック３０１で、第２のサーバは、分類情報に基づき、第２のウェブサイトの表示可能製品を分類する。
【００５８】
このブロックで、複数の製品分類を取得するために、第２のウェブサイト内のすべての表示可能製品が、従来の製品分類基準に基づいて分類される。
【００５９】
ブロック３０２で、各分類の各製品から、製品キーワードが抽出される。製品キーワードは、製品タイトルキーワードおよび製品属性キーワードを含む。
【００６０】
製品キーワードは、従来の方法を使用して、各分類の各製品から抽出される。具体的に、製品キーワードは、製品タイトルキーワードおよび製品属性キーワード、すなわち、それぞれの製品のタイトルおよび属性から抽出される関連キーワードを含んでもよい。製品の属性は、タイプ、スタイル、仕様、または材料等に対応する。
【００６１】
ブロック３０３で、同一または類似の製品タイトルキーワードおよび同一または類似の製品属性キーワードを有する製品が、類似製品ユニットとしてグループ化される。類似するということは、２つの製品の主要属性値の間の差が所定の範囲内であることを指す。
【００６２】
製品タイトルキーワードおよび製品属性キーワードを抽出すると、同一または類似の製品タイトルキーワードおよび同一または類似の主要属性キーワードを有する製品を、類似製品ユニットにグループ化することができる。類似するということは、２つの製品の主要属性キーワードによって表される主要属性値の間の差が所定の範囲内であること、または２つの製品のタイトルキーワードが部分的に同一であることを意味する。見ることができるように、類似製品ユニット内の製品は、同一の分類下の製品群である。
【００６３】
ブロック３０４で、各類似製品ユニットについて、製品キーワードのそれぞれの重みに基づき、所定の数の第２の製品キーワードが選択される。
【００６４】
各類似製品ユニットについて、第２のサーバは、それぞれの類似製品ユニットの製品情報から、少なくとも１つのユニットキーワードをさらに抽出する。具体的に、ユニットキーワード（単数または複数）を抽出する方法は、製品情報の各片の製品キーワード（例えば、タイトルコンテンツキーワードおよび主要属性キーワードを含む）の重みを計算することを含んでもよい。製品キーワードの重みは、関連付けられる類似製品ユニット内でのキーワードの発生頻度の単調増加関数に対応する。具体的に、キーワードがより頻繁に出現するほど、キーワードの重みは大きくなる。キーワードの重みを取得すると、製品キーワードのそれぞれの重みに基づき、所定の数の第２の製品キーワードが選択される。例えば、最初の１０個のキーワードが、第２の製品キーワードに選択される。
【００６５】
ブロック３０５で、それぞれの類似製品ユニットに対応するそれぞれのユニットキーワード群を形成するように、それぞれの所定の数の第２の製品キーワードが共にグループ化される。
【００６６】
最後に、第２のサーバは、各類似製品ユニットに対応する１０個の第２の製品キーワードを、ユニットキーワード群にグループ化する。ユニットキーワードユニットは、それぞれの類似製品ユニットの製品情報を表現してもよい。具体的に、ユニットキーワード群を形成するように、類似製品ユニットの製品情報を共にグループ化することができる。
【００６７】
ブロック３０５の後、第２のサーバは、類似製品ユニットを作成している。次いで、第１のサーバは、第２のサーバのすべての類似製品ユニットの情報を取得してもよい。類似製品ユニットの情報は、類似製品ユニットにそれぞれ対応する、ユニットキーワード群に対応する。
【００６８】
第２のサーバが類似製品ユニットを作成した後、第１のサーバは、第２のサーバに、類似製品ユニットの情報の取得要求を送信する。類似製品ユニットの情報は、類似製品ユニットのユニットキーワード群を含む。要求を受信すると、第２のサーバは、類似製品ユニットの情報を、第１のサーバに送信してもよい。
【００６９】
図１に戻り、ブロック１０３で、第１のサーバは、第１のウェブサイトの第１のユーザの所望の製品の分類の製品情報と第２のウェブサイトの類似製品ユニットの製品情報との間の類似度を計算する。
【００７０】
第１のユーザの所望の製品の分類の製品情報と類似製品ユニットの製品情報との間の類似度の計算は、第１のサーバまたは第２のサーバによって完了されてもよく、本実施形態の技術スキームでは、第１のサーバによって完了される。
【００７１】
具体的に、実際の適用では、分類キーワード群とユニットキーワード群との間の類似度は、一連の類似度方程式を使用して計算されてもよい。分類キーワード群とユニットキーワード群との間の類似度は、所望の製品が属する分類の製品情報と類似製品ユニットの製品情報との間の類似度を表す。具体的に、類似度を計算するプロセスは、計算に、コサイン類似度、ジャカール係数等の一連の類似度方程式を使用してもよい。
【００７２】
ブロック１０４で、第１のサーバは、それぞれの類似度に基づき、すべての類似製品ユニットを順序付けし、上位類似製品ユニット内の所定の数の製品を表示製品として設定する。
【００７３】
分類キーワード群とユニットキーワード群との間の類似度を計算すると、第１のサーバは、それぞれの類似度に基づき、すべての類似製品ユニットを順序付けし、上位類似製品ユニット内の所定の数の製品を表示製品として設定する。具体的に、順序付けされた類似製品ユニットは、最初の１つから開始して、累積されてもよい。例えば、上位２つの類似製品ユニットの製品が、製品の累積数が所定の閾値に到達するまで、最初に累積されてもよい。１００個の製品に到達すると、例えば、これらの１００個の製品が、表示製品として設定される。
【００７４】
ブロック１０５で、第１のサーバは、表示製品を、第１のユーザによって閲覧される該ウェブサイトのウェブページ上に提示する。
【００７５】
第１のウェブサイト上に表示されなければならない表示製品を取得すると、第１のサーバは、表示製品を、第１のユーザによって閲覧される第１のウェブサイトのウェブページ上で第１のユーザに提示する。
【００７６】
図４に示されるように、ブロック１０５の実行プロセスの詳細は、以下のブロックを含んでもよい。
【００７７】
ブロック４０１は、表示製品から、所定の期間内に第１のユーザによってクリックされた製品をフィルタリングする。
【００７８】
所定の期間の値に関する制限はなく、時間または日数単位であってもよい。サーバは、第１のユーザの同一の製品のクリック情報を取得してもよく、したがって、ユーザが所定の期間内に製品をクリックしたか否かを判定してもよい。クリックされた場合、製品は、表示製品から除外され、したがって、特定の製品があまりに頻繁に表示され、まだ表示されていない他の製品に影響を及ぼすことを防止する。
【００７９】
ブロック４０２は、フィルタリングされた表示される製品から、製品が属する類似製品ユニットの類似度の降順で、第１のユーザによって閲覧される第１のウェブサイトのウェブページ上に表示するための製品を選択し、同一の類似製品ユニット内の製品がランダムに選択される。
【００８０】
このブロックで、第１のサーバは、類似度の値に基づき、類似製品ユニット内の、第１のユーザによって閲覧される第１のウェブサイトのウェブページ上に表示するための製品を選択し、同一の類似製品ユニットの製品が、表示するためにランダムに選択される。本開示を実現する際、類似度を計算するタスクは、代替えとして、第２のサーバによって完了されてもよいことに留意されたい。この状況下では、第２のサーバは、最初に、第１のサーバから、第１のユーザが所望する分類の製品情報を取得し、類似度を計算し、表示製品を取得すると、表示製品の情報を、表示製品を第１のウェブサイト上に表示する第１のサーバに送信する。
【００８１】
したがって、第１のサーバおよび第２のサーバは、同等のサーバである。第１のサーバおよび第２のサーバのそれぞれが完了することができる動作は、第１の例示的な実施形態に記載されるものに限定されない。当業者は、本開示で提供される技術的概念に基づき、第１のサーバと第２のサーバとの間での作業の配分に関する詳細を指定することができる。
【００８２】
本開示で提供される技術スキームは、第２のウェブサイトの製品情報を、第１のウェブサイトのウェブページ上に表示することを可能にし、したがって、第１のウェブサイトの第１のユーザが、第２のウェブサイトに登録またはログインすることなく、第２のウェブサイトの製品情報を取得することを可能にする。したがって、第２のウェブサイトのサーバは、他のユーザからの登録またはログイン要求をより効率的に処理することができ、一方、第１のウェブサイトは、第１のユーザが所望する製品分類のより多くの関連製品情報を第１のユーザに表示することができ、それによって、第１のウェブサイトが、第１のユーザの製品情報要求を処理する効率を改善する。したがって、例示的な本実施形態は、サーバのユーザの要求に対する応答の数が削減されるため、サーバの処理速度および処理性能を改善することができる。
【００８３】
図５は、ウェブサイト横断情報を表示する第２の例示的な方法を図示する、フローチャートを示す。例示的な本実施形態で提供される技術スキームは、以下のブロックを含む。
【００８４】
ブロック５０１で、第１のウェブサイトの第１のサーバは、第１のユーザの少なくとも１つの所望の製品の分類下の製品情報を取得する。
【００８５】
本実施形態では、第１のウェブサイトの例として、Ｃ２Ｃウェブサイトが使用され、第２のウェブサイトは、例えば、Ｂ２Ｂウェブサイトである。
【００８６】
このブロックでの処理の具体的な動作は、ブロック１０１が参照されてもよく、本明細書に重複して記載されない。
【００８７】
ブロック５０２で、第１のサーバは、第２のサーバの各分類下のすべての類似製品ユニットの製品情報を取得し、類似製品ユニットは、表示可能製品群を含む。
【００８８】
第２のサーバは、第２のウェブサイトのすべての表示可能製品を分類し、すべての製品を類似製品ユニットに分割する。次いで、第１のサーバは、第２のサーバから、すべての類似製品ユニットの情報を取得する。
【００８９】
ブロック５０３で、第１のサーバは、少なくとも１つの所望の製品の分類下の製品情報と類似製品ユニットの製品情報との間の類似度を計算する。
【００９０】
ブロック５０４で、少なくとも１つの所望の製品の分類下の製品情報について、第１のサーバは、類似度の降順で所定の数の上位類似製品ユニットを選択し、所定の数の上位類似製品ユニット内の製品を、表示製品としてレンダリングする。
【００９１】
ブロック５０５で、第１のサーバは、表示製品から、フィルタリング条件を満足する製品をフィルタリングする。フィルタリング条件は、利用可能な製品画像がないことを示す情報、製品故障を示す情報、および／または製品表示品質が基準未満であることを示す情報を含んでもよい。
【００９２】
具体的に、フィルタリング条件は、利用可能な製品画像がないことを示す情報、製品故障を示す情報、および／または製品表示品質が基準未満であることを示す情報を含んでもよい。具体的に、これらの３つの条件−利用可能な製品画像がないこと、製品故障、および／または製品表示品質を示す情報のうちのいずれか１つが基準未満である場合、関連付けられる製品は、除外され、表示されない。
【００９３】
ブロック５０６で、第１のサーバは、ランキング要因に基づき、フィルタリングされた製品をランク付けし、最後には、所定の数の上位ランク製品を表示製品に設定する。ランキング要因は、類似度の情報、製品の表示品質の情報、製品のクリック率の情報、製品の取引複雑性の情報、第１のユーザの登録時間の情報、および／または第１のユーザの信用性スコアの情報を含む。
【００９４】
例示的な本方法は、ランキング要因に基づき、フィルタリングされた製品をランク付けするプロセスをさらに含む。具体的に、ランキング要因は、製品が属する類似製品ユニットと第１のウェブサイトの第１のユーザが所望する分類の製品情報との間の類似度、製品の表示品質の情報、製品のクリック率、製品の取引複雑性の情報、製品を有するユーザの登録時間の情報、および／または製品を有するユーザの信用性スコアを含む。製品の表示品質の情報は、製品をウェブページ上に表示する信号品質と称する。
【００９５】
製品のランク付けは、製品が保有するランキング要因の数、または製品が保有するランキング要因と関連付けられるそれぞれの重みに比例することに留意されたい。ランキング要因と関連付けられる重みは、回帰および分類モデルを作成することによって取得されてもよい。異なる製品のランキング要因と関連付けられる重みは、異なってもよい。
【００９６】
ブロック５０５および５０６でのフィルタリングならびにランク付けを通して、元の表示製品群から、高品質の表示製品群が選択されてもよい。具体的に、第１のユーザのニーズをより良く満足する製品情報が選択される。
【００９７】
ブロック５０７で、表示製品から、所定の期間内に第１のユーザによってクリックされた製品がフィルタリングされる。
【００９８】
製品を第１のユーザに提示する際、ユーザが見た製品を再度表示する必要はない。したがって、ユーザが特定の期間内に閲覧した製品をフィルタリングする必要がある。この期間は、３日間もしくは一週間に設定されてもよく、またはウェブサイトユーザの平均アクセス率に基づき、当業者によって設定されてもよい。
【００９９】
ブロック５０８で、フィルタリングされた表示製品から、製品が属する類似製品ユニットの類似度の降順で製品が選択され、第１のユーザによって閲覧される第１のウェブサイトのウェブページ上に表示され、同一の類似製品ユニット内の製品が、ランダムに選択される。
【０１００】
ブロック５０９で、所定の回転速度に基づき、表示するための所定の数の選択される製品が更新される。回転速度は、第１のユーザによってブラウズされるウェブページ上の表示製品を変更する速度に対応する。
【０１０１】
回転速度は、第１のユーザによってブラウズされるウェブページ上の表示製品を変更する速度に対応する。広くは、回転時間は、ユーザがページ上の製品をゆっくり読むことができる期間、例えば、３０分間として設定される。回転速度は、回転時間の逆数である。回転速度および所定の数は、具体的なニーズに基づき、当業者によって判定されてもよく、本開示において制限されない。
【０１０２】
例示的な本実施形態は、表示製品群から表示するための製品を選択する際に、資格のない製品を排除する。これらの資格のない製品を、第１のウェブサイトのウェブページ上に表示することは、サーバによる他の製品の表示に影響を及ぼす場合があり、第１のユーザが、所望の製品情報をより迅速に取得するのに失敗する原因となる。したがって、本開示で提供される技術スキームは、第１のサーバが、第１のユーザの製品情報要求を処理する効率をさらに改善し、第１のウェブサイトの第１のユーザが、第２のウェブサイトに登録またはログインすることなく、第２のウェブサイトの製品情報を取得することができるように、第２のウェブサイトの製品情報を、第１のウェブサイトのウェブページ上に表示することを可能にする。さらに、第２のウェブサイトのサーバは、他のユーザからの登録またはログイン要求をより効率的に処理することができる。さらに、第１のウェブサイトの第１のユーザは、ユーザのニーズを満足する製品情報をより迅速に取得することができ、したがって、第１のサーバの第１のユーザからの製品情報要求を処理する効率が改善される。
【０１０３】
図６は、ウェブサイト横断情報を表示する第３の例示的な方法を図示する、フローチャートを示す。第３の実施形態の第１および第２の実施形態との違いは、類似度が、第２のサーバによって計算されることである。例示的な本実施形態で提供される技術スキームは、以下のブロックを含む。
【０１０４】
ブロック６０１で、第１のウェブサイトの第１のサーバは、第１のユーザの少なくとも１つの所望の製品の分類下の製品情報を取得する。
【０１０５】
実際の適用では、このブロックでの実現形態プロセスは、第１の実施形態で記載されるものを参照することができ、本明細書に重複して記載されない。
【０１０６】
ブロック６０２で、第１のサーバは、少なくとも１つの所望の製品の分類下の製品情報を第２のサーバに送信する。
【０１０７】
本実施形態では、ユーザの所望の製品の分類下の製品情報を取得すると、第１のサーバは、第２のサーバが、それに応じて、受信される製品情報に基づき、類似度を計算することができるように、１つ以上の分類およびそれぞれの製品情報を第２のサーバに送信する。
【０１０８】
ブロック６０３で、第２のサーバは、少なくとも１つの所望の製品の分類下の製品情報と各製品分類下のすべての類似製品ユニットの製品情報との間の類似度を計算する。類似製品ユニットは、表示可能製品群を含む。
【０１０９】
第２のサーバは、データベース内に記憶されているすべての製品情報に基づき、類似製品ユニットを前もって作成する必要がある。類似製品ユニットは、表示可能製品群を含む。第２のサーバが類似製品ユニットの作成を実現するプロセスは、第１の実施形態のブロック１０２で記載されるものを参照することができる。
【０１１０】
第２のサーバは、受信される所望の製品の分類下の製品情報および第２のサーバによって作成された各製品分類下のすべての類似製品ユニット内の製品情報に基づき、第１のサーバの製品情報と第２のサーバの製品情報との間の類似度を計算する必要がある。類似度の計算を実現するプロセスは、ブロック１０３で記載されるものと一致し、唯一の違いは、本実施形態では、第２のサーバが、そのような計算を実施するエンティティであるということに留意されたい。
【０１１１】
ブロック６０４で、少なくとも１つの所望の製品の分類下の製品情報について、第２のサーバは、類似度の降順で所定の数の上位類似製品ユニットを選択し、所定の数の上位類似製品ユニット内の製品を、表示製品としてレンダリングする。
【０１１２】
本実施形態では、類似度を取得すると、第２のサーバは、類似度の降順で所定の数の上位類似製品ユニットを選択し、これらの類似製品ユニット内の製品を、表示製品としてレンダリングする。第２のサーバのデータベースが、すべての製品情報を記憶しているため、すべての類似製品ユニット内に含まれる製品の数は、極めて大きい。このブロックで、第２のサーバは、この製品情報を前もってフィルタリングする、すなわち、第１の所望の製品の分類との高類似度を有する第２のサーバの製品を、表示製品としてレンダリングする。したがって、データベース内のすべての製品情報が、第１のサーバに送信される必要はなく、したがって、データ伝送量を大幅に削減する。
【０１１３】
ブロック６０５で、第２のサーバは、表示製品を第１のサーバに送信する。
【０１１４】
ブロック６０６で、第１のサーバは、第１のユーザによってブラウズされる第１のウェブサイトのウェブページ上に、表示製品を提示する。
【０１１５】
第２のサーバが、表示製品の関連情報を第１のサーバに送信した後、第１のサーバは、これらの選択された表示製品を提示する。第２のサーバから第１のサーバに送信される表示製品の情報は、第１のサーバによって実施される提示方法が異なるのに応じて変わってもよい。例えば、第１のサーバが、表示製品の画像情報を提示する必要がある場合、第２のサーバは、ブロック６０５で、表示製品の画像情報を第１のサーバに送信してもよい。第１のサーバが、表示製品の説明情報を提示する必要がある場合、第２のサーバは、ブロック６０５で、表示製品のテキスト情報を第１のサーバに送信する。
【０１１６】
本実施形態で紹介されるウェブサイト横断情報を表示する方法を使用して、第１および第２の実施形態に例証されるようにウェブサイト横断情報の表示を実現することができるだけでなく、サーバ間のデータ伝送も削減することができる。これは、ネットワーク内またはサーバ間のデータ伝送速度を改善し、サーバまたはネットワークのデータ伝送と関連付けられる資源を節約することができる。
【０１１７】
図７は、ウェブサイト横断情報を表示する第１の例示的なシステムの構造図を示す。具体的に、システムは、獲得ユニット７０３と、計算ユニット７０４と、選択ユニット７０５と、表示ユニット７０６とを第１のサーバ７０１内に、作成ユニット７０７を第２のサーバ７０２内に含む。
【０１１８】
獲得ユニット７０３は、第１のサーバの第１のユーザの少なくとも１つの所望の製品の分類下の製品情報、および第２のサーバの製品分類下の類似製品ユニットの情報を取得するように構成され、類似製品ユニットは、表示可能製品群を含む。
【０１１９】
図８に示されるように、獲得ユニット７０３は、分類統計ユニット８０１と、計算ユニット８０２と、分類キーワード抽出ユニット８０３と、キーワード選択ユニット８０４と、分類キーワード群生成ユニット８０５とを含んでもよい。
【０１２０】
一実施形態では、分類統計ユニット８０１は、第１のウェブサイトの第１のユーザの各分類下の製品量および製品取引量をカウントするように構成される。計算ユニット８０２は、製品量および製品取引量に基づき、各分類のスコアを計算し、スコアは、単調増加関数であり、第１のユーザの各分類の製品量および製品取引量は、関数の独立変数であり、各分類のスコアは、従属変数であり、第１のユーザの所望の製品の分類となる所定の数の最高スコアの分類をレンダリングするように構成される。
【０１２１】
いくつかの実施形態では、分類キーワード抽出ユニット８０３は、所望の製品の各分類について、それぞれの分類の製品情報から、各製品の第１の製品キーワード群を取得するように構成され、第１の製品キーワードは、製品タイトルキーワードおよび／または製品属性キーワードを含む。さらに、キーワード選択ユニット８０４は、第１の製品キーワードと関連付けられるそれぞれの重みに基づき、第１の製品キーワード群から、所定の数の上位の第１の製品キーワードを選択するように構成される。分類キーワード群生成ユニット８０５は、所望の製品のそれぞれの分類に対応する分類キーワード群を形成するために、所定の数の上位の第１の製品キーワードを使用するように構成される。
【０１２２】
作成ユニット７０７は、第２のサーバの各分類下のすべての類似製品ユニットを作成するように構成される。
【０１２３】
図９に示されるように、作成ユニット７０７は、一次分類ユニット９０１と、二次分類ユニット９０２と、ユニットキーワード抽出ユニット９０３と、キーワード選択ユニット９０４と、ユニットキーワード群生成ユニット９０５とを含んでもよい。一次分類ユニット９０１は、分類情報に基づき、第２のウェブサイトの表示可能製品を分類するように構成される。二次分類ユニット９０２は、各分類下の各製品から、製品タイトルキーワードおよび製品属性キーワードを抽出し、同一または類似の製品タイトルキーワードおよび同一または類似の主要属性キーワードを有する製品を、類似製品ユニットにグループ化するように構成され、類似するということは、２つの製品の主要属性値の間の差が所定の範囲内であることを表す。ユニットキーワード抽出ユニット９０３は、各類似製品ユニットについて、それぞれの類似製品ユニットの製品情報から、少なくとも１つのユニットキーワードを抽出するように構成される。キーワード選択ユニット９０４は、第１の製品キーワードのそれぞれの重みに基づき、所定の数の製品キーワードを選択するように構成される。ユニットキーワード群生成ユニット９０５は、それぞれのユニットキーワード群を形成するために、各類似製品ユニットの少なくとも１つのユニットキーワードを使用するように構成され、ユニットキーワード群は、それぞれの類似製品ユニットの製品情報を表現する。
【０１２４】
計算ユニット７０４は、少なくとも１つの所望の製品の分類下の製品情報と類似製品ユニットのそれぞれの製品情報との間の類似度を計算するように構成される。
【０１２５】
具体的に、計算ユニット７０４は、一連の類似度方程式に基づき、分類キーワード群とユニットキーワード群との間の類似度を計算するように構成される。
【０１２６】
選択ユニット７０５は、少なくとも１つの製品の分類下の製品情報について、類似度の降順で所定の数の上位類似製品ユニットを選択し、所定の数の類似製品ユニット内の製品を、表示製品としてレンダリングするように構成される。
【０１２７】
表示ユニット７０６は、表示製品を、第１のユーザによって閲覧される第１のウェブサイトのウェブページ上に提示するように構成される。
【０１２８】
図１０に示されるように、表示ユニット７０６は、表示製品から、所定の期間内に第１のユーザによってクリックされた製品をフィルタリングするように構成される、二次フィルタリングユニット１００１と、製品が属する類似製品ユニットのそれぞれの類似度に基づき、フィルタリングされた表示製品から、第１のユーザによって閲覧される第１のウェブサイトのウェブページ上に表示するための製品を選択するように構成される、表示制御ユニット１００２とを含んでもよく、同一の類似製品ユニット内の製品は、ランダムに選択される。
【０１２９】
図１１は、ウェブサイト横断情報を表示する第２の例示的なシステムの構造図を示す。第１の実施形態と比較して、本システムは、一次フィルタリングユニット１１０１と、順序付けユニット１１０２と、表示更新ユニット１１０３とをさらに含んでもよい。
【０１３０】
第１のサーバに置かれ、選択ユニットに連結される、一次フィルタリングユニット１１０１は、表示製品から、フィルタリング条件を満足する製品をフィルタリングするように構成され、フィルタリング条件は、利用可能な製品画像がないことを示す情報、製品故障を示す情報、および／または製品表示品質が基準未満であることを示す情報を含む。
【０１３１】
第１のサーバに置かれ、一次フィルタリングユニットおよび表示ユニットに連結される、順序付けユニット１１０２は、ランキング要因に基づき、フィルタリングされた製品を順序付けし、所定の数の上位ランク製品を、最終的な表示製品としてレンダリングするように構成され、ランキング要因は、類似度の情報、製品の表示品質の情報、製品のクリック率の情報、製品の取引複雑性の情報、第１のユーザの登録時間の情報、および／または第１のユーザの信用性スコアの情報を含む。
【０１３２】
表示更新ユニット１１０３は、所定の回転速度に基づき、表示するための所定の数の選択される製品を変更するように構成され、回転速度は、第１のユーザによってブラウズされるウェブページ上の表示製品を変更する速度に対応する。
【０１３３】
図１２は、ウェブサイト横断情報を表示する第３の例示的なシステムの構造図を示す。具体的に、システムは、獲得ユニット７０３と、第１の送信ユニット１２０１と、表示ユニット７０６とを第１のサーバ内に、計算ユニット７０４と、選択ユニット７０５と、第２の送信ユニット１２０２とを第２のサーバ内に含んでもよい。
【０１３４】
獲得ユニット７０３は、第１のユーザの少なくとも１つの所望の製品の分類下の製品情報を取得するように構成される。
【０１３５】
第１の送信ユニット１２０１は、少なくとも１つの所望の製品の分類下の製品情報を計算ユニットに送信するように構成される。
【０１３６】
計算ユニット７０４は、少なくとも１つの所望の製品の分類下の製品情報と第２のサーバの各製品分類下のすべての類似製品ユニットの製品情報との間の類似度を計算するように構成され、類似製品ユニットは、表示可能製品群を含む。
【０１３７】
選択ユニット７０５は、類似度の降順で所定の数の上位類似製品ユニットを選択し、所定の数の類似製品ユニット内の製品を、表示製品としてレンダリングするように構成される。
【０１３８】
第２の送信ユニット１２０２は、表示ユニットが、表示製品を、第１のユーザによって閲覧される第１のウェブサイトのウェブページ上に提示することを促進するために、表示製品を表示ユニットに送信するように構成される。
【０１３９】
様々な例示的な実施形態が、本開示で漸進的に記載されることが留意される。例示的な各実施形態の要点は、他の例示的な実施形態とは異なる場合があり、例示的な実施形態の同一または類似の部分は、相互に参照される場合がある。例示的な装置の記載は、これらの例示的な装置が、例示的な方法のそれらの同等の実施形態と類似するため、比較的簡易である。例示的な方法の実施形態において、関連詳細を見出すことができる。
【０１４０】
上述される例示的な実施形態から、当業者は、開示される方法およびシステムが、不可欠なユニバーサルハードウェアプラットフォームを用いて、ソフトウェアを使用して実現されてもよいことを明確に理解することができる。この理解に基づき、本開示または既存の技術の技術スキームは、不揮発性記憶媒体、例えば、ＲＯＭ／ＲＡＭ、ディスク、またはコンパクトディスクに記憶されるソフトウェア製品の形態で実現されてもよい。ソフトウェアは、コンピューティングデバイス（例えば、パーソナルコンピュータ、サーバ、またはネットワーク接続されたデバイス）が、本開示の例示的な実施形態または例示的な実施形態の特定の部分に記載される方法を実行するための命令を含む。
【０１４１】
例えば、図１３は、上述される第１のサーバおよび／または第２のサーバ等の例示的なサーバ１３００をより詳細に図示する。一実施形態では、サーバ１３００は、１つ以上のプロセッサ１３０１と、ネットワークインターフェース１３０２と、メモリ１３０３と、入力／出力インターフェース１３０４とを含むことができるが、これらに限定されない。
【０１４２】
メモリ１３０３は、ランダムアクセスメモリ（ＲＡＭ）等の揮発性メモリ、および／もしくは読み取り専用メモリ（ＲＯＭ）等の不揮発性メモリ、またはフラッシュＲＡＭの形態のコンピュータ可読媒体を含んでもよい。メモリ１３０３は、コンピュータ可読媒体の一例である。
【０１４３】
コンピュータ可読媒体は、コンピュータ可読命令、データ構造、プログラムモジュール、もしくは他のデータなどの情報の記憶のために任意の方法または技術で実装された、揮発性および不揮発性の、取り外し可能および取り外し不可能な媒体を含む。コンピュータ記憶媒体の例としては、相変化メモリ（ＰＲＡＭ）、スタティックランダムアクセスメモリ（ＳＲＡＭ）、ダイナミックランダムアクセスメモリ（ＤＲＡＭ）、他の種類のランダムアクセスメモリ（ＲＡＭ）、読み出し専用メモリ（ＲＯＭ）、電気的消去可能でプログラム可能な読み出し専用メモリ（ＥＥＰＲＯＭ）、フラッシュメモリもしくは他のメモリ技術、コンパクトディスク読み出し専用メモリ（ＣＤ−ＲＯＭ）、デジタル多用途ディスク（ＤＶＤ）もしくは他の光学式記憶装置、磁気カセット、磁気テープ、磁気ディスク記憶装置もしくは他の磁気記憶デバイス、またはコンピューティングデバイスによるアクセスのための情報を記憶するために使用することができる任意の他の非伝送媒体が挙げられるが、これらに限定されない。本明細書中で定義されるように、コンピュータ可読媒体は、変調されたデータ信号および搬送波などの一時的な媒体を含まない。
【０１４４】
メモリ１３０３は、プログラムモジュール１３０５と、プログラムデータ１３０６とを含んでもよい。一実施形態では、プログラムユニット１３０５は、獲得ユニット１３０６と、計算ユニット１３０７と、選択ユニット１３０８と、表示ユニット１３０９とを含んでもよい。いくつかの実施形態では、プログラムユニット１３０５は、第１の送信ユニット１３１０と、第２の送信ユニット１３１１と、作成ユニット１３１２とをさらに含んでもよい。他の実施形態では、これらのユニット１３０６〜１３１２のうちの１つ以上は、上述される前述の実施形態に記載される、１つ以上のサブユニットをさらに含んでもよい。これらのプログラムモジュールに関する詳細は、上述される前述の実施形態に見出され得る。
【０１４５】
最後に、本文献における「第１の」および「第２の」等のいかなる関係語も、１つのエンティティを別のエンティティと区別すること、または１つの動作を別の動作と区別することのみが意味され、これらのエンティティもしくは動作の間のいずれかの現実世界の関係または順序付けの存在を必ずしも要求あるいは暗示しないことが指摘されるべきである。さらに、「含む」、「有する」、または任意の他の異形等の用語は、「備える」を非排他的に含めることが意図される。したがって、特徴の集合を個々に含むプロセス、方法、物品、またはデバイスは、これらの特徴を含むだけでなく、列挙されていない他の特徴、またはこれらのプロセス、方法、物品、もしくはデバイスの任意の固有の特徴も含んでもよい。いかなるさらなる制限もなく、「・・・を含む」という表現内に定義される特徴は、特徴を列挙するそのプロセス、方法、物品、またはデバイスが、他の均等特徴を有し得る可能性を排除しない。
【０１４６】
開示される方法およびシステムの上記の説明は、当業者が、本開示を実現または適用することを可能にする。これらの例示的な実施形態に対する様々な修正が、当業者に明らかである。本開示の趣旨および範囲から逸脱することなく、他の実施形態で、本開示に記載される原理を実現することができる。したがって、本開示は、本開示に記載されるこれらの実施形態であると解釈されず、本開示で開示される原理および新規性と一致する、最も広い範囲を網羅する。
【図１】
0005984834.tif 000002
【図２】
0005984834.tif 000003
【図３】
0005984834.tif 000004
【図４】
0005984834.tif 000005
【図５】
0005984834.tif 000006
【図６】
0005984834.tif 000007
【図７】
0005984834.tif 000008
【図８】
0005984834.tif 000009
【図９】
0005984834.tif 000010
【図１０】
0005984834.tif 000011
【図１１】
0005984834.tif 000012
【図１２】
0005984834.tif 000013
【図１３】
0005984834.tif 000014